(57)【要約】【課題】カ−トリッジタンクを使用した燃料供給装置に於いて、暖房器具に接近しての設置が可能なものを提供する。【解決手段】燃料補給用のカ−トリッジタンク６と、該カ−トリッジタンク６からの燃料を受ける燃料受タンク７とを内方に備え、暖房器具１の燃焼部に落差で燃料を供給する燃料供給装置４に於いて、前記燃料供給装置４は暖房器具１に並設して設置された時、該暖房器具１の吹出口２から供給される温風で加熱されないように、その奥行きを暖房器具１の奥行きの同等以下としたので、婦女子でも容易に燃料の補給作業が行えるものであり、更に暖房器具と燃料供給装置とを接近させての設置が可能となり、２ｍもの離間距離が必要なくなり、見た目もスッキリとして良く、設置スペ−スも少なくて済み、室内の有効利用が出来るものである。【選択図】　図２
2004101137.tif 000002
【特許請求の範囲】
【請求項１】
燃料補給用のカ−トリッジタンクと、該カ−トリッジタンクからの燃料を受ける燃料受タンクとを内方に備え、暖房器具の燃焼部に落差で燃料を供給する燃料供給装置に於いて、前記燃料供給装置は暖房器具に並設して設置された時、該暖房器具の吹出口から供給される温風で加熱されないように、その奥行きを暖房器具の奥行きの同等以下とした事を特徴とする燃料供給装置。
【請求項２】
燃料補給用のカ−トリッジタンクと、該カ−トリッジタンクからの燃料を受ける燃料受タンクとを内方に備え、暖房器具の燃焼部に落差で燃料を供給する燃料供給装置に於いて、前記カ−トリッジタンクを水平断面形状長方形のものとし、その短辺側を奥行き側として備え、燃料供給装置の奥行きを暖房器具の奥行きの同等以下に抑え、燃料供給装置は暖房器具に並設して設置された時、該暖房器具の吹出口から供給される温風で加熱されないようにした事を特徴とする燃料供給装置。
【発明の詳細な説明】
【０００１】
【発明の属する技術分野】
この発明は、給排気式の温風暖房器等、石油などの液体燃料を使用した室内暖房器具に液体燃料を供給する燃料供給装置に関するものである。
【０００２】
【従来の技術】
従来の別置き式の燃料供給装置では、燃料を入れておく油タンクは内容量２０〜４０リットルの比較的大型のものが使用され、又万一暖房器具の温風で加熱されても異常状態になることがないようにと言うことで、暖房器具との離間距離を２ｍ以上取ることが必要であった。（例えば、特許文献１参照。）
【０００３】
【特許文献１】
実開平５−７９２３０号公報
【０００４】
【発明が解決しようとする課題】
ところでこの従来のものでは、別置きの油タンクへの燃油の補給は、重いポリタンクを別置きの油タンクの所まで運んでいって行わなければならず、重労働であり婦女子には簡単に出来る作業ではなく、又暖房器具と燃料供給装置とが離れているので、見た目も悪く、場所を取り室内を有効に利用出来ないと言う問題点を有するものであった。
【０００５】
【課題を解決するための手段】
この発明はこの点に着目し上記欠点を解決する為、特にその構成を、燃料補給用のカ−トリッジタンクと、該カ−トリッジタンクからの燃料を受ける燃料受タンクとを内方に備え、暖房器具の燃焼部に落差で燃料を供給する燃料供給装置に於いて、前記燃料供給装置は暖房器具に並設して設置された時、該暖房器具の吹出口から供給される温風で加熱されないように、その奥行きを暖房器具の奥行きの同等以下としたものである。
【０００６】
これによって、燃料を貯留するタンクを通常暖房器具収納されている内容量７〜１０リットルのカ−トリッジタンクとしたことで、婦女子でも容易に燃料の補給作業が行えるものであり、更に燃料供給装置は暖房器具によって加熱されないので、暖房器具と燃料供給装置とを接近させての設置が可能となり、２ｍもの離間距離が必要なくなり、見た目もスッキリとして良く、設置スペ−スも少なくて済み、室内の有効利用が出来るものである。
【０００７】
【発明の実施の形態】
次にこの発明の一実施形態を図面に基づいて説明する。
１は部屋の壁を貫通した給排気筒（図示せず）を備え室内を燃焼部（図示せず）の燃焼により温風暖房する暖房器具で、正面には温風の吹出口２及び上部には操作部３を備え壁際に設置されている。
【０００８】
４は前記暖房器具１に燃料である燃油を落差で供給する燃料供給装置で、内方には開閉蓋５を開成して入出自在とする内容量７〜１０リットルのカ−トリッジタンク６と、このカ−トリッジタンク６からの燃油を一旦受ける燃料受タンク７と、該燃料受タンク７の底部に開閉コック８を介して一端を連結し、他端を暖房器具１の定油面器（図示せず）に接続したゴムホ−スから成る送油パイプ９と、前記燃料受タンク７と定油面器との落差を設ける為に該燃料受タンク７を高い位置に固定する支持枠１０とが備えられている。
【０００９】
前記カ−トリッジタンク６は、水平断面形状が長方形のものが使用され、その短辺側Ａが燃料供給装置４の奥行き方向になるようにして収納することで、奥行き方向の寸法が小さくなり、暖房器具１の奥行き寸法より小さくすることで、燃料供給装置４を暖房器具１に接近させ並設しても、暖房器具１の吹出口２からの温風を直接受けて加熱される心配がないものである。
【００１０】
１１は燃料供給装置４の両側内面に備えられ固定手段を構成する一対の壁固定金具で、Ｌ字状に屈曲させた先端を固定部１２として燃料供給装置４背面に突出させ、取り付け板１３によってスライド自在に取り付けられて壁までの距離に応じて長さ調節され、固定部１２を固定ネジ１４で確実に壁に固定するものである。
【００１１】
１５は壁固定金具１１と連動する安全手段で、壁固定金具１１の上部に突設された逆Ｌ字状の係止部１６と、この係止部１６と壁固定金具１１を壁に固定しない状態では係合して開閉蓋５の開成を禁止する該開閉蓋５裏面に形成された係合部１７と、壁固定金具１１を常時係止部１６と係合部１７が係合するように引っ張るバネ手段１８とから構成されており、壁固定金具１１をバネ手段１８に抗してスライドさせ壁に固定することで、係止部１６と係合部１７との係合が外れ安全手段１５が解除されるので、開閉蓋５の開閉が可能となってカ−トリッジタンク６の出し入れが自由に行われて燃油の供給が開始されるものである。
【００１２】
１９は壁固定金具１１の他端に形成された器具固定用穴で、燃料供給装置４を壁ではなく暖房器具１に固定する時に使用するもので、左右どちら側に暖房器具１が位置しても良いように両方の壁固定金具１１に形成されており、壁固定金具１１をバネ手段１８に抗してスライドさせ係止部１６と係合部１７との係合が外れた位置で、器具固定用穴１９と対向する燃料供給装置４側壁上部には横長スリット２０が設けられ、予め外された暖房器具１側面上部のネジ（図示せず）を器具固定用穴１９側からネジ込むことで、燃料供給装置４が暖房器具１に固定されるものである。
【００１３】
２１は開閉コック８を開閉する為の操作扉、２２はカ−トリッジタンク６内の燃油量を確認する為の油量計窓、２３は送油パイプ９を左右どちらからでも取り出せるように両側に備えられた取り出し口である。
【００１４】
次にこの発明一実施例の作動について説明する。
今燃料供給装置３を設置するにあたり、先ず送油パイプ９の他端を暖房器具１の定油面器に接続した後、燃料供給装置４を暖房器具１の直ぐ隣に置いた状態で、壁固定金具１１をバネ手段１８に抗して引っ張り出し壁に当接した所で固定部１２を固定ネジ１４で壁に固定し、これを左右両側とも行えば壁固定金具１１の固定は完了するものである。
【００１５】
そしてこの壁固定金具１１の固定によって、安全手段１５である係止部１６と係合部１７との係合が外れることで、開閉蓋５の開閉が可能となり、カ−トリッジタンク６に補給をして開閉コック８を開口側に回せば、燃油の供給が開始され暖房器具１の燃焼が可能と成るものである。
【００１６】
更に暖房器具１の燃焼によってカ−トリッジタンク６内の燃油が無くなれば、従来の器具内に収納されているものと同じく、カ−トリッジタンク６を取り出して給油場所まで持ち運んで補給することが出来、重いポリタンクを持って来ての補給でないので、力のない婦女子でも容易に燃油の補給が出来、極めて使用勝手が良いものである。
【００１７】
又燃料供給装置４の転倒防止処置を施すと共に、燃料供給装置４の奥行き寸法を暖房器具１の奥行き寸法より小さくすることで、温風を受けて加熱されることがないので、暖房器具１に近接して燃料供給装置４を設置出来るので、極めて安全であり安心して使用出来るものであり、見た目もスッキリとして良く、場所を取らず室内スペ−スの有効利用が図られるものである。
【００１８】
更に設置条件によっては、暖房器具１に接近しての設置が出来ない場合には、従来と同じように離しての設置も勿論可能であり、良好な使用が出来るものである。
尚、この実施例では、壁固定金具１１を一対設けたが、片側一つでも良いものである。
【００１９】
又ここでは、固定手段である壁固定金具１１に安全手段１５が連動して開閉蓋４の開閉を規制することで、確実な作動を実現したが、安全手段１５はこの構成に限定されることなく、例えば壁固定金具１１で開閉コック７のロック及びロック解除を行うようにしても良いものである。
【００２０】
【発明の効果】
以上のようにこの発明によれば、燃料を貯留するタンクを通常暖房器具収納されている内容量７〜１０リットルのカ−トリッジタンクとしたことで、婦女子でも容易に燃料の補給作業が行えるものであり、更に燃料供給装置を暖房器具の吹出口から供給される温風で加熱されないようにしたので、暖房器具と燃料供給装置とを接近させての設置が可能となり、２ｍもの離間距離が必要なくなり、見た目もスッキリとして良く、設置スペ−スも少なくて済み、室内の有効利用が出来るものである。
【図面の簡単な説明】
【図１】この発明の一実施例による燃料供給装置と暖房器具との使用状態の一例を示す斜視図である。
【図２】同平面図
【図３】同燃料供給装置の分解斜視図。
【図４】同燃料供給装置の水平断面図。
【図５】同固定手段と安全手段を示す説明図
【図６】同固定手段と安全手段の斜視図。
【符号の説明】
１　暖房器具
２　吹出口
４　燃料供給装置
６　カ−トリッジタンク
７　燃料受タンク
Ａ　短辺側
【図１】
2004101137.tif 000003
【図２】
2004101137.tif 000004
【図３】
2004101137.tif 000005
【図４】
2004101137.tif 000006
【図５】
2004101137.tif 000007
【図６】
2004101137.tif 000008